【手続補正書】
【提出日】平成18年2月10日(2006.2.10)
【手続補正１】
【補正対象書類名】明細書
【補正対象項目名】発明の名称
【補正方法】変更
【補正の内容】
【発明の名称】撮像装置及び記録装置
【手続補正２】
【補正対象書類名】明細書
【補正対象項目名】特許請求の範囲
【補正方法】変更
【補正の内容】
【特許請求の範囲】
【請求項１】  撮像手段と、
前記撮像手段により得られた動画像データを記録媒体に蓄積する記録手段と、
前記撮像手段により得られた動画像データを外部の記憶装置にて蓄積させるべく、伝送路を介して送信する送信手段と、
前記記録手段と前記送信手段とを制御して、記録開始から記録終了までの一連の前記動画像データのうちの一部を前記記録媒体に蓄積させると共に前記一部以外を前記記憶装置に蓄積させると共に、前記記録媒体と前記記憶装置とにそれぞれ蓄積された前記一部の動画像データと前記一部以外の動画像データを前記一連の動画像データとして再生するための再生手順を示す再生リストを生成する制御手段とを備えることを特徴とする撮像装置。
【請求項２】  前記制御手段は、前記伝送路の状態に応じて前記記録媒体と前記記憶装置の何れか一方を選択して前記動画像データを蓄積させることを特徴とする請求項１記載の撮像装置。
【請求項３】  前記制御手段は、前記伝送路の状態が前記動画像データを良好に伝送可能である場合には、前記記憶装置に前記動画像データを蓄積させるべく前記伝送手段に対して前記動画像データを出力し、前記伝送路の状態が前記動画像データを良好に伝送可能でない場合には、前記記録媒体に前記動画像データを蓄積させるべく前記記録手段に対して前記動画像データを出力することを特徴とする請求項２記載の撮像装置。
【請求項４】  前記制御手段は更に、前記再生リストを前記記録媒体に記録するよう前記記録手段を制御することを特徴とする請求項１乃至３の何れか１項に記載の撮像装置。
【請求項５】  選択操作により、複数の一連の動画像データから所望の一連の動画像データが選択可能な選択手段と、
前記選択手段により選択された前記所望の一連の動画像データを、前記所望の一連の動画像データについて生成された再生リストに従って再生する再生手段とを更に有することを特徴とする請求項１乃至４の何れか１項に記載の撮像装置。
【請求項６】  入力された動画像データを記録媒体に記録する記録手段と、
前記入力された動画像データを記憶装置にて蓄積させるべく送信する送信手段と、
前記記録手段と前記送信手段とを制御して、記録開始から記録終了までの一連の前記動画像データのうち一部を前記記録媒体に記録させると共に前記一部以外を前記記憶装置に蓄積させ、前記記録媒体に記録された前記一部の動画像データと前記記憶装置に蓄積された前記一部以外の動画像データとを前記一連の動画像データとして再生するための再生手順を示す再生リストを生成する制御手段とを備えることを特徴とする記録装置。
【請求項７】  前記制御手段は、前記記憶装置に対する前記動画像データの蓄積中に前記蓄積装置に対して前記動画像データを良好に蓄積することができない状態となった場合に前記送信手段による前記動画像データの送信を停止すると共に、前記送信停止後の動画像データを前記記録媒体に記録するよう前記記録手段と前記送信手段とを制御することを特徴とする請求項６記載の記録装置。
【請求項８】  前記制御手段は更に、前記再生リストを前記記録媒体に記録するよう前記記録手段を制御することを特徴とする請求項６又は７に記載の記録装置。
【請求項９】  選択操作により、複数の一連の動画像データから所望の一連の動画像データが選択可能な選択手段と、
前記選択手段により選択された前記所望の一連の動画像データを、前記所望の一連の動画像データについて生成された再生リストに従って再生する再生手段とを更に有することを特徴とする請求項６乃至８の何れか１項に記載の記録装置。
【手続補正３】
【補正対象書類名】明細書
【補正対象項目名】０００１
【補正方法】変更
【補正の内容】
【０００１】
【発明の属する技術分野】
本発明は、入力された動画像データを記録媒体に記録可能な撮像装置及び記録装置に関するものである。
【手続補正４】
【補正対象書類名】明細書
【補正対象項目名】０００６
【補正方法】変更
【補正の内容】
【０００６】
【課題を解決するための手段】
本発明の撮像装置は、撮像手段と、前記撮像手段により得られた動画像データを記録媒体に蓄積する記録手段と、前記撮像手段により得られた動画像データを外部の記憶装置にて蓄積させるべく、伝送路を介して送信する送信手段と、前記記録手段と前記送信手段とを制御して、記録開始から記録終了までの一連の前記動画像データのうちの一部を前記記録媒体に蓄積させると共に前記一部以外を前記記憶装置に蓄積させると共に、前記記録媒体と前記記憶装置とにそれぞれ蓄積された前記一部の動画像データと前記一部以外の動画像データを前記一連の動画像データとして再生するための再生手順を示す再生リストを生成する制御手段とを備えることを特徴とする。
本発明の記録装置は、入力された動画像データを記録媒体に記録する記録手段と、前記入力された動画像データを記憶装置にて蓄積させるべく送信する送信手段と、前記記録手段と前記送信手段とを制御して、記録開始から記録終了までの一連の前記動画像データのうち一部を前記記録媒体に記録させると共に前記一部以外を前記記憶装置に蓄積させ、前記記録媒体に記録された前記一部の動画像データと前記記憶装置に蓄積された前記一部以外の動画像データとを前記一連の動画像データとして再生するための再生手順を示す再生リストを生成する制御手段とを備えることを特徴とする。
【手続補正５】
【補正対象書類名】明細書
【補正対象項目名】００４８
【補正方法】削除
【補正の内容】
【手続補正６】
【補正対象書類名】明細書
【補正対象項目名】００４９
【補正方法】削除
【補正の内容】
【手続補正７】
【補正対象書類名】明細書
【補正対象項目名】００５０
【補正方法】削除
【補正の内容】
【手続補正８】
【補正対象書類名】明細書
【補正対象項目名】００５１
【補正方法】削除
【補正の内容】
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】削除
【補正の内容】
【手続補正１１】
【補正対象書類名】明細書
【補正対象項目名】００５４
【補正方法】削除
【補正の内容】
【手続補正１２】
【補正対象書類名】明細書
【補正対象項目名】００５５
【補正方法】削除
【補正の内容】
【手続補正１３】
【補正対象書類名】明細書
【補正対象項目名】００５６
【補正方法】削除
【補正の内容】
【手続補正１４】
【補正対象書類名】明細書
【補正対象項目名】００５７
【補正方法】削除
【補正の内容】
【手続補正１５】
【補正対象書類名】明細書
【補正対象項目名】００５８
【補正方法】削除
【補正の内容】
【手続補正１６】
【補正対象書類名】明細書
【補正対象項目名】００５９
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００６２
【補正方法】削除
【補正の内容】
【手続補正２０】
【補正対象書類名】明細書
【補正対象項目名】００６３
【補正方法】削除
【補正の内容】
【手続補正２１】
【補正対象書類名】明細書
【補正対象項目名】００６４
【補正方法】削除
【補正の内容】
【手続補正２２】
【補正対象書類名】明細書
【補正対象項目名】００６５
【補正方法】削除
【補正の内容】
【手続補正２３】
【補正対象書類名】明細書
【補正対象項目名】００６６
【補正方法】削除
【補正の内容】
【手続補正２４】
【補正対象書類名】明細書
【補正対象項目名】００６７
【補正方法】削除
【補正の内容】
【手続補正２５】
【補正対象書類名】明細書
【補正対象項目名】００６８
【補正方法】削除
【補正の内容】
【手続補正２６】
【補正対象書類名】明細書
【補正対象項目名】００６９
【補正方法】変更
【補正の内容】
【００６９】
【発明の効果】
本発明によれば、動画像データの撮影の際における撮像装置内の記録媒体の交換頻度を下げることができるとともに、動画像データを記憶装置に転送するにあたって利用者が伝送路の状態を意識する必要がなくなる。
また、本発明によれば、利用者は何ら特別な操作を行なうことなく記録媒体と記憶装置とに振り分けて一連の動画像データを連続して再生することができる。